(57)【要約】      （修正有）【課題】肩から首筋までの部分を十分にカバーして、冷却することを可能にし、かつ、冷却する必要を認めないときには、冷却手段を取り除いて身軽な状態で着用することが出来る作業衣を提供する。【解決手段】前身頃５と後身頃とよりなり肩線部分で一体にした作業用冷却衣１であって、保冷材封入用袋体２１の両側に所定長の支持帯を有し、該袋体の一面には後身頃の衿部近傍を設けた係止部材と係止する係止部材を設け、前記支持帯端部に設けた係止部材と前身頃前面胸部衣に設けた係止部材とを一体に係止固定することにより保冷材封入用袋体２１を使用者の衿近傍に当てがい袋体支持帯を前身頃胸部の係止部材に係止することで衿部の冷却を保つことを可能とした。また、前身頃５と後身頃とは、それぞれの脇部に設けた尾錠１３，支持バンド１２，尾錠固定バンドよりなる連結体により結合することを特徴とする。【選択図】図１
0003146616.tif 000002
【実用新案登録請求の範囲】
【請求項１】
前身頃と後身頃とよりなり肩線部分で一体にした作業用冷却衣であって、保冷材封入用袋体の両側に所定長の袋体支持帯を有し、該袋体の一面には後身頃の衿部近傍に設けた係止部材と係止する係止部材を設け、前記支持帯端部に設けた係止部材と前身頃前面胸部に設けた係止部材とを一体に係止固定することにより保冷材封入用袋体を使用者の衿近傍に当てがい袋体支持帯を前身頃胸部の係止部材に係止することで衿部の冷却を保つことを可能としたことを特徴とする作業用冷却衣。
【請求項２】
前身頃と後身頃とは、それぞれの脇部に設けた尾錠，尾錠支持バンド，尾錠固定バンドよりなる連結体により結合することを特徴とする請求項１記載の作業用冷却衣。
【考案の詳細な説明】
【技術分野】
【０００１】
本考案は、熱暑，高温環境で着用することで、外部の熱を遮断し、特に必要に応じ首筋の冷却効果を高めることを可能とした、日射病，熱中症予防に最適な作業用冷却衣に関する。
【背景技術】
【０００２】
高温環境の作業場或いは炎天下の野外等の現場などにおいての労働時に、身体に受ける外部からの熱を遮断し、労働環境を少しでも良くしようとするために、作業衣に高吸水性樹脂を内包させ、冷却服を水に浸し高吸水性樹脂に吸水させ、その服を着用することで体温により水を蒸発させ、蒸発潜熱により体を冷却させる冷却服が考えられた（特許文献１）。
【０００３】
然し、このような冷却服であると、予め所定の位置に配された高吸水性樹脂の作用により冷却が行なわれるため常に所定位置に冷却効果が現われることになり、また、服全体にそれが配されると着用時に重量が負担となることも生じる。
また、炎天のもと屋外での労働，スポーツ等において最も熱を受ける背中、特に首筋の温度上昇を防ぐために衣類の肩から背中にかけての部分にポケット等の冷却部材収納手段を設け、該部に冷却材を入れるようにしたもの（特許文献２参照）も知られているが、冷却材収納手段内に冷却部材を収納した場合、冷却材はどうしても収納手段内において下降し下位に堆積することになり、肩部に冷却材収納手段を設けた場合、首筋部分も上部までカバーすることは出来にくかった。
【特許文献１】特開平８−１７９４０８号公報
【特許文献２】特許第３５２５０６９号公報
【考案の開示】
【考案が解決しようとする課題】
【０００４】
本考案は上記の点に鑑みて、肩から首筋までの部分を十分にカバーして、冷却することを可能にし、かつ、冷却する必要を認めないときには、前記冷却手段を取り除いて身軽な状態で着用することが出来る作業衣を得ることを目的としている。
また、着用者が肥満体或いは痩身体であっても、その体形にフィットした着用が可能であり、かつ、肩から首にかけての冷却手段を首部に充分に添わせて保持することが出来る作業衣を得ることを目的としている。
【課題を解決するための手段】
【０００５】
請求項１記載の本考案作業用冷却衣は、前身頃と後身頃とよりなり肩線部分で一体にした作業用冷却衣であって、保冷材封入用袋体の両側に所定長の支持帯を有し、該袋体の一面には後身頃の衿部近傍を設けた係止部材と係止する係止部材を設け、前記支持帯端部に設けた係止部材と前身頃前面胸部衣に設けた係止部材とを一体に係止固定することにより保冷材封入用袋体を使用者の衿近傍に当てがい袋体支持帯を前身頃胸部の係止部材に係止することで衿部の冷却を保つことを可能とした。
請求項２記載の本考案作業用冷却衣は、請求項１記載の作業用冷却衣において、前身頃と後身頃とは、それぞれの脇部に設けた尾錠，支持バンド，尾錠固定バンドよりなる連結体により結合することを特徴としている。
【考案の効果】
【０００６】
本考案作業用冷却衣は、肩部から後身頃の衿部近傍に設けた係止具に保冷材封入用の袋体を適宜取り外し自在に係止してあるために、作業衣自体の肩部よりも高く保冷材封入用の袋体を位置させて作業衣に固定することが可能であり、そのため首部周囲までも保冷材封入用袋体で被うことが可能となり冷却効果を高めることが出来、かつ、前記保冷材を、その両端に設けた支持帯端部を前身頃の胸部の係止部材に係止することで着用者の首筋に充分圧接する状態で固定出来、冷却効果を高めることが可能である。
更に、冷却効果を望まないときには背部に取り付けた袋体を作業衣から取り外せば作業衣を身軽に着用することも可能である。
【０００７】
また、前身頃と後身頃とは、それぞれの脇部に設けた尾錠，支持バンド，尾錠固定バンドよりなる連結体により脇部が結合されているために肥満体，痩身体いずれの体形であっても連結体の調整により体形に応じフィットした状態で着用できるため首筋の冷却の場合、冷却剤を入れた袋体を袋体支持帯で固定するような場合でも体形に応じて確実に作業衣の上に配置することが出来る。
【考案を実施するための最良の形態】
【０００８】
本考案作業用冷却衣１について図面と共に以下説明する。
本考案作業用冷却衣１はベスト部２と首部冷却体３とよりなり、使用時はベスト部２を着用し、その上に冷却すべき首部後背部位をを選んで首部冷却体３を当てがい、後述する首部冷却体固定手段４により後身頃の首筋部分に首部冷却体３は固定される。
【０００９】
図３に正面から見たベスト部２を示す。
５，５は前身頃で中央にファスナー６を有し前身頃を左右に分けることが出来、前身頃５，５の両側部の脇部７，７は後身頃８の脇部９，９とは連続していない。左右前身頃５，５の頂部肩線１０，１０と後身頃８の頂部肩線１１，１１とは一体に縫着され、前身頃５と後身頃８とはポンチョ風に連続している。前身頃５，５の両側の脇部７，７にはそれぞれ上下に２個所ずつの尾錠支持バンド１２，１２によって尾錠１３が支持されている。後身頃８の両側の脇部９，９にはそれぞれ上下に２個所ずつ、尾錠１３と一致する位置に固定用バンド１４，１４が設けられている。
ポンチョ風に着用した前後身頃５，８の合わせ目は、前記した固定用バンド１４の締め付け状態によって、着用者の身体の大きさに合わせることが出来る。
【００１０】
ベスト部２の前後身頃５，８の内面には蓄冷剤（図示せず）を挿入するポケット１５を設ける。前身頃内面には、図５に示す如く、左右の胸位置にポケット１５ａ，１５ｂを、後身頃８の内面には図６に示す如く頚椎に対応する位置にポケット１５ｃを、更にその下位の左右にポケット１５ｄ，１５ｅを設けてある。前述の如くポケット１５は図示しない蓄冷剤を挿入するポケット１５ａ〜１５ｅに入れるには常温で使用して４時間以上冷却効果を有するものが望ましい
【００１１】
ポケットの素材としてポケット部分の冷環境を得られるようにナイロン或いはポリエステル等のメッシュ地を用いている。ベスト部２を構成する生地は、表裏重ねた二重の編地よりなり、表側素材としてポリエステル１００％のトリコット地を裏側素材として吸汗速乾機能を有するポリエステル１００％の生地を用いている。
【００１２】
次に首部冷却体３につき説明する。
首部冷却体３は長方形の布帛を筒状に端部を重ねて折り返し、前記重ねた部位に面ファスナー２０を設けて開口部とし、筒状体の両端を閉じて蓄冷剤封入用の袋体２１とし、袋体２１の両側に袋体支持バンド２２を縫着している。袋体支持バンド２２の先端には係止部材として面ファスナー２３を設けている。また、袋体２１の開口部の反対面側には袋体固定用の係止部材として面ファスナー２４を設けている。前記面ファスナーは係止部材としての機能を有すれば良いので釦，ホック等適宜用いることが出来る。首部冷却体３の袋体２１内には蓄冷剤２５が封入されている。
【００１３】
本考案作業用冷却衣１は、作業すべき環境に応じて首部冷却体３をベスト部２に取り付け或いは取り外される。その取り付けは以下の如く行われる。首部冷却体３の蓄冷剤封入用袋体２１内に蓄冷剤２５を適宜量挿入し面ファスナー２０を閉じた状態で袋体支持用面ファスナー２４と後身頃８の背面上部中央に設けた衿部面ファスナー２６とを係止し、ベスト部２の首回り位置に首部部冷却袋体３を固定する。
【００１４】
そしてベスト着用時に上記袋体３のふらつきが生じないように、袋体両側に縫着してある袋体支持バンド２２を着用者の背から肩を廻して袋体支持バンド２２端部の面ファスナー２３と前身頃５の胸部に設けてある胸部面ファスナー２７とよりなる首部冷却体固定手段４に係合させ首部冷却体３を安定させる。
【００１５】
本考案の作業用冷却衣１にあっては前記した如く、衿部面ファスナー２６に首部冷却体３の蓄冷剤２５を封入した袋体２１を取り付けているために袋体２１がベスト部２の衿位置よりも高い位置に固定することが出来、首の周囲までも囲って冷却することになり、極めて冷却効果を高くすることになる。
【産業上の利用可能性】
【００１６】
本考案作業用冷却衣は、ベスト部のポケットに蓄冷剤を入れ又は首部冷却体の袋内に蓄冷剤を入れて、作業中体温の上昇を冷やす手段としての手法を説明したが、蓄冷剤にかえて保温剤，発熱剤等を用いれば体温の低下を防ぎ保温効果を得ることが可能である。その際は、首部冷却体は衿巻きと同等の作用効果を発揮することになる。
【図面の簡単な説明】
【００１７】
【図１】本考案作業用冷却衣において首部冷却体を取り付けた状態の正面図。
【図２】同背面図。
【図３】本考案作業用冷却衣において首部冷却体を取り外した状態の正面図。
【図４】同背面図。
【図５】首部冷却体を取り外した状態の前身頃内面図。
【図６】同後身頃内面図。
【図７】首部冷却体の正面図。
【図８】同背面図。
【図９】首部冷却体の図８矢印線における拡大断面図。
【図１０】図４におけるＡ−Ａ線拡大断面図。
【符号の説明】
【００１８】
１  作業用冷却衣
２  ベスト部
３  首部冷却体
４  首部冷却体固定手段
５，５  前身頃
６  ファスナー
７，７  前身頃の脇部
８  後身頃
９  後身頃の脇部
１０，１１  肩線
１２  尾錠支持バンド
１３  尾錠
１４  固定用バンド
１５  ポケット
２０  面ファスナー
２１  蓄冷剤封入用袋体
２２  袋体支持バンド
２３  面ファスナー
２４  面ファスナー
２５  蓄冷剤
２６  衿部面ファスナー
【図１】
0003146616.tif 000003
【図２】
0003146616.tif 000004
【図３】
0003146616.tif 000005
【図４】
0003146616.tif 000006
【図５】
0003146616.tif 000007
【図６】
0003146616.tif 000008
【図７】
0003146616.tif 000009
【図８】
0003146616.tif 000010
【図９】
0003146616.tif 000011
【図１０】
0003146616.tif 000012